(57)【要約】【課題】  より簡単に、所望のチャンネルの放送信号を取得することができる情報処理装置を提供する。【解決手段】  放送信号を取得するＴＶ受信部６と、データ中に、特定のチャンネルの放送信号を取得するための文字列および／または画像からなるＴＶコマンドが含まれているか否かを検出し、ユーザによって上記ＴＶコマンドを実行する実行命令が出されたか否かを判断し、上記ＴＶコマンドに基づいて上記特定のチャンネルの放送信号を取得させるように上記ＴＶ受信部６を制御する制御部４を備えている。【選択図】  図１
2005198114.tif 000002
【特許請求の範囲】
【請求項１】
放送信号を取得するチューナと、
データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御手段とを備えることを特徴とする情報処理装置。
【請求項２】
上記制御手段は、データ中に上記コマンドが含まれているか否かを検出する検出手段と、
ユーザによって上記コマンドの実行命令が出されたか否かを判断する判断手段と、
上記コマンドに基づいて上記特定のチャンネルの放送信号を取得させるように上記チューナを制御するチューナ制御手段とを備えることを特徴とする請求項１記載の情報処理装置。
【請求項３】
上記コマンドには、上記特定のチャンネルで放送される特定の番組の開始日時および終了日時を含む日時情報が含まれており、
現在の日時を示す時計手段と、
現在の日時と上記日時情報とを比較する比較手段とを有し、
上記チューナ制御手段は、上記比較手段の比較結果に基づいて、チューナを動作させるか否かを制御するものであることを特徴とする請求項２記載の情報処理装置。
【請求項４】
上記チューナ制御手段は、上記比較結果により、現在の日時が上記コマンドに含まれている番組の開始時間と終了時間との間であると判断した場合には、チューナを動作させるものであることを特徴とする請求項３に記載の情報処理装置。
【請求項５】
情報を報知する報知手段を備え、
上記チューナ制御手段は、上記比較結果により、現在の日時が上記コマンドに含まれている番組の終了時間よりも後であると判断した場合には、報知手段を動作させて、上記特定の番組が既に終了していることを報知するものであることを特徴とする請求項３に記載の情報処理装置。
【請求項６】
未だ放送されていない放送番組を録画する録画予約または放送時に番組を取得する放送予約を行う予約設定手段を備え、
上記チューナ制御手段は、上記比較結果により、現在の日時が上記コマンドに含まれている番組の開始時間よりも前であると判断した場合には、予約設定手段を動作させて番組の録画予約または放送予約を行うものであることを特徴とする請求項３のいずれか１項に記載の情報処理装置。
【請求項７】
上記データは、外部から送信された電子メールの本文であることを特徴とする請求項１〜６のいずれか１項に記載の情報処理装置。
【請求項８】
チューナを介して特定のチャンネルの放送信号を取得する取得工程と、
データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御工程とを含むことを特徴とする情報処理装置の制御方法。
【請求項９】
コンピュータを、請求項１〜７のいずれか１項に記載の情報処理装置の制御手段として機能させるためのプログラム。
【請求項１０】
請求項９に記載のプログラムを記録した、コンピュータ読取り可能な記録媒体。
【発明の詳細な説明】
【技術分野】
【０００１】
本発明は、放送信号を受信可能な情報処理装置、情報処理装置の制御方法、プログラムおよび記録媒体に関するものであり、例えば、アナログＴＶ放送信号、地上波デジタルＴＶ放送信号またはラジオ放送信号等などの放送信号を受信可能な携帯電話、インターネット機能付きテレビ等の情報処理装置、情報処理装置の制御方法、プログラムおよび記録媒体に関するものである。
【背景技術】
【０００２】
外部からテレビ番組の録画予約を行う方法としては、例えば、特許文献１、２に開示された方法がある。
【０００３】
上記特許文献１、２では、携帯電話から録画予約を行うことができる装置に対して予約メール（制御コマンドが内挿されたメール）を送信すると、上記装置は、受信した予約メールの内容を解析して自動的に録画予約を行う方法が開示されている。
【０００４】
このように、人が装置に対して外部から録画予約を行うには、制御コマンドが内挿された電子メールを送信することで実現することができる。しかしながら、一般に、上記装置には、予約メールしか送信されることはない。つまり、上記装置に送信される予約メールには、例えば、人と人の間でやり取りされるメールのように、他の情報は含まれていることはなく、この他の情報によって誤作動を行うこともない。言い換えれば、例えば、人と人との間で、やり取りされるメールを自動的に解析して、予約等を行う場合には、誤作動を引き起こす可能性が高い。
【０００５】
ところで、最近では、テレビ機能付きの携帯電話等が開発されている。当該携帯電話には、テレビチューナが内蔵されており、このテレビチューナを介してテレビ番組を視聴することができる。
【０００６】
このようなテレビ機能付きの携帯電話を持っているユーザに対して、例えば、他人から上記携帯電話のユーザに対して、面白いテレビ番組があることを通知する場合には、（１）電話にてユーザに対して上記テレビ番組情報を通知する、（２）電子メールにてユーザに番組情報を通知する等の方法が考えられる。
【特許文献１】特開２００２−６４８８０公報（公開日；２００２年２月２８日）
【特許文献２】特開２００１−３３９６７４公報（公開日；２００１年１２月７日）
【発明の開示】
【発明が解決しようとする課題】
【０００７】
しかしながら、上記電話や電子メールにて、番組情報が通知された場合、ユーザは、一旦、電話を切るまたは電子メールを閉じた後でテレビ機能を立ち上げ、番組情報に基づいてチャンネル設定を行う必要がある。この場合には、ユーザは煩わしい操作を行わなければならず、また、チャンネル設定を間違える場合もある。
【０００８】
そして、上記問題はテレビ機能付き携帯電話に限られるものではなく、例えば、インターネット機能付きのテレビや、パソコン等の場合にも同様の問題が発生する。
【０００９】
本発明は、上記の問題点に鑑みてなされたものであり、その目的は、より簡単に、所望のチャンネルの放送信号を取得することができる情報処理装置、情報処理装置の制御方法、プログラムおよび記録媒体を提供することにある。
【課題を解決するための手段】
【００１０】
本発明に係る情報処理装置は、上記課題を解決するために、放送信号を取得するチューナと、データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御手段を備えることを特徴としている。
【００１１】
また、本発明にかかる情報処理装置は、上記の構成に加えて、上記制御手段は、データ中に上記コマンドが含まれているか否かを検出する検出手段と、ユーザによって上記コマンドの実行命令が出されたか否かを判断する判断手段と、上記コマンドに基づいて上記特定のチャンネルの放送信号を取得させるように上記チューナを制御するチューナ制御手段とを備える構成であることがより好ましい。
【００１２】
上記の構成によれば、ユーザは、上記コマンドを実行する実行命令を出すだけで、チューナを介して特定のチャンネルの放送信号を取得することができる。具体的には、例えば、ユーザは、受信した電子メールの本文に含まれているコマンドをクリックすることにより、当該コマンドと関連づけられている特定のチャンネルの放送信号を受信することができる。これにより、例えば、ユーザが電話や単なるメール等にて通知された情報に基づいて放送信号を取得するためのアプリケーションを起動させた後で特定のチャンネルの放送信号を取得する構成に比べて、操作を一層簡単にすることができる。また、上記コマンドは特定のチャンネルと関連付けられているので、誤ったチャンネルの放送信号を取得することを防止することができる。
【００１３】
また、本発明にかかる情報処理装置は、上記の構成に加えて、上記コマンドには、上記特定のチャンネルで放送される特定の番組の開始日時および終了日時を含む日時情報が含まれており、現在の日時を示す時計手段と、現在の日時と上記日時情報とを比較する比較手段とを有し、上記チューナ制御手段は、上記比較手段の比較結果に基づいて、チューナを動作させるか否かを制御するものである構成がより好ましい。
【００１４】
放送信号は、時事刻々と変化しており、例えば、ユーザが所望の番組を取得しようとした場合であっても、上記所望の番組は終了している場合や、まだ、放送されていない場合等がある。上記の構成によれば、上記コマンドには、番組の開始日時および終了時刻が含まれており、これらの日時情報と、現在の日時とを比較するようになっている。これにより、上記コマンドと関連付けられている番組が、現在、どの状態になっているのかを判断することができる。これにより、上記特定の番組の状態（例えば、既に終了している、放送している、未だ放送されていない）に応じた処理を行うことが可能になる。例えば、上記特定の番組が既に終わっている、または、未だ放送されていない場合には、チューナを動作させても上記番組を取得することができないので、チューナを動作させないように設定することにより、無駄な処理を行うことを防止できる。
【００１５】
また、本発明にかかる情報処理装置は、上記の構成に加えて、上記チューナ制御手段は、上記比較結果により、現在の日時が上記コマンドに含まれている番組の開始時間と終了時間との間であると判断した場合には、チューナを動作させるものである構成がより好ましい。
【００１６】
上記の構成によれば、所望の番組が現在放送中であるか否かを判断できるで、放送中であると判断した場合には、直ちに上記番組の放送信号を取得することができる。
【００１７】
また、本発明にかかる情報処理装置は、上記の構成に加えて、情報を報知する報知手段を備え、上記チューナ制御手段は、上記比較結果により、現在の日時が上記コマンドに含まれている番組の終了時間よりも後であると判断した場合には、報知手段を動作させて、上記特定の番組が既に終了していることを報知する構成であることがより好ましい。
【００１８】
上記の構成によれば、所望の番組が既に終了しているか否かを判断できるので、例えば、既に終了していると判断した場合には、報知手段によりユーザに所望の番組が既に終了していることを報知することができる。
【００１９】
また、本発明にかかる情報処理装置は、上記の構成に加えて、未だ放送されていない放送番組を録画する録画予約または放送時に番組を取得する放送予約を行う予約設定手段を備え、上記チューナ制御手段は、上記比較結果により、現在の日時が上記コマンドに含まれている番組の開始時間よりも前であると判断した場合には、予約設定手段を動作させて番組の録画予約または放送予約を行う構成であることがより好ましい。
【００２０】
上記の構成によれば、所望の番組が未だ放送されていないか否かを判断できるので、未だ放送されていないと判断した場合には、上記番組の録画予約または放送予約を行うことができる。
【００２１】
また、本発明にかかる情報処理装置は、上記データは、外部から送信された電子メールの本文である構成がより好ましい。
【００２２】
上記の構成によれば、電子メール本文に上記コマンドが含まれている。つまり、上記コマンドを電子メールの本文と併せて送ることにより、他の情報とともにコマンドを送ることができる。具体的には、例えば、番組の情報を紹介した文章と上記コマンドとの両方を併記することができる。これにより、より一層利便性を向上させることができる。
【００２３】
また、本発明にかかる情報処理装置の制御方法は、チューナを介して特定のチャンネルの放送信号を取得する取得工程と、データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御工程とを含むことを特徴としている。
【００２４】
上記の構成によれば、ユーザは、上記コマンドを実行する実行命令を出すだけで、チューナを介して特定のチャンネルの放送信号を取得することができる。
【００２５】
本発明に係るプログラムは、上記課題を解決するために、コンピュータを、上記の情報処理装置の制御手段として機能させるものであることを特徴としている。
【００２６】
このプログラムを、上述の制御手段およびチューナを有するコンピュータにおいて実行すれば、上述の情報処理装置を実現できる。
【００２７】
本発明に係る記録媒体は、上記課題を解決するために、上記プログラムを記録した、コンピュータ読取り可能な記録媒体である。
【００２８】
この記録媒体を、上述の制御手段およびチューナを有するコンピュータにおいて読取って、プログラムを実行すれば、上述の情報処理装置を実現できる。
【発明の効果】
【００２９】
本発明に係る情報処理装置は、放送信号を取得するチューナと、データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御手段を備える構成である。
【００３０】
上記の構成によれば、ユーザは、上記コマンドを実行する実行命令を出すだけで、チューナを介して特定のチャンネルの放送信号を取得することができる。具体的には、例えば、ユーザは、受信した電子メールの本文に含まれているコマンドをクリックすることにより、当該コマンドと関連づけられている特定のチャンネルの放送信号を受信することができる。これにより、例えば、ユーザが電話や単なるメール等にて通知された情報に基づいて放送信号を取得するためのアプリケーションを起動させた後で特定のチャンネルの放送信号を取得する構成に比べて、操作を一層簡単にすることができる。また、上記コマンドは特定のチャンネルと関連付けられているので、誤ったチャンネルの放送信号を取得することを防止することができるという効果を奏する。
【００３１】
また、本発明にかかる情報処理装置の制御方法は、チューナを介して特定のチャンネルの放送信号を取得する取得工程と、データ中に、特定のチャンネルの放送信号を取得するための文字列および／または画像からなるコマンドが含まれているか否かを検出し、ユーザによって上記コマンドを実行する実行命令が出されたか否かを判断し、上記コマンドに基づいて上記特定のチャンネルの放送信号を取得させるように上記チューナを制御する制御工程とを含構成である。
【００３２】
上記の構成によれば、ユーザは、上記コマンドを実行する実行命令を出すだけで、チューナを介して特定のチャンネルの放送信号を取得することができるという効果を奏する。
【発明を実施するための最良の形態】
【００３３】
本発明の一実施形態について図１〜図５に基づいて説明すると以下の通りである。尚、以下の説明では、放送信号として地上波デジタル放送テレビの放送信号を受信可能な受信部を備えた携帯電話を例にして説明するが、本発明はそれに限定されるものではなく、放送信号についても、アナログテレビ放送、衛星デジタル放送、ＦＭ／ＡＭラジオ放送などが含まれることはいうまでもない。また、情報処理装置も放送信号を受信する構成があればよく、携帯電話に限らず、ＰＤＡ、ノートパソコン、デジタルカメラ、携帯型デジタルビデオレコーダ、オーディオプレーヤー等の携帯端末や、パソコン、テレビ電話、インターネットテレビ等も含まれる。
【００３４】
携帯電話（情報処理装置）１は、図２に示すように、概略的に、送受信部（受信部）２、ユーザＩＦ部３、制御部（制御手段）４および記憶部５を備えている。そして、この携帯電話１は、地上波デジタル放送を受信することができる。
【００３５】
送受信部２は、電波を受信または電波を送信する、携帯電話１の電波送受信インタフェースである。ユーザＩＦ部３は、携帯電話１のユーザインタフェースである。制御部４は、携帯電話１の各種構成を制御する。制御部４の機能は、例えばＲＡＭ（Random Access Memory）やフラッシュメモリなどの記憶装置に記憶されたプログラムを図示しないＣＰＵ（Central Processing Unit）が実行することによって実現される。制御部４の詳細な構成については後述する。記憶部５は、携帯電話１の記憶装置である。記憶部５には、ユーザによる設定を記録するための図示しない設定ファイルが記憶される。
【００３６】
より詳細には、送受信部２は、ＴＶ受信部６、アンテナ部１１、デコーダ部１３および無線処理部１４を含んでいる。そして、ＴＶ受信部（チューナ）６は、ＴＶアンテナ部１０とチューナモジュール１２とを含んでいる。
【００３７】
ＴＶ受信部６は、地上波デジタルテレビ放送を受信ものである。そして、ＴＶアンテナ部１０は、地上波デジタルテレビ放送を受信するためのアンテナである。
【００３８】
チューナモジュール１２は、後述する制御部４のＴＶチューナ制御部１５からの指示に応じて、ＴＶアンテナ部１０にて所定の周波数の電波を受信し、受信した信号を復調した後にデコーダ部１３へと出力する。このチューナモジュール１２は、地上波デジタルテレビ放送を受信するためのものであり、アナログのテレビ放送によるＮＴＳＣ（National Television System Committee）形式とは異なった形式を用いている。
【００３９】
デコーダ部１３は、映像データおよび音声データの符号化と復号化とを行う。例えば、チューナモジュール１２から入力されるデータを、映像データおよび音声データへと復号化して、ユーザＩＦ部３の表示部２０およびスピーカ２１へとそれぞれ出力する。すなわち、このデコーダ部１３は、ＴＳ  Ｄｅｍｕｘ(Transport Stream De-multiplex)として機能する。また、例えば映像データの規格にはＭＰＥＧ−４  Visualを用い、音声データの規格にはＭＰＥＧ−２  AACを用いる。デコーダ部１３の用いる規格はこれに限るものではなく、例えば動画像符号化技術の国際標準方式であるＨ．２６４／（ＭＰＥＧ−４  ＡＶＣ）を用いてもよい。
【００４０】
アンテナ部１１は、携帯電話機能および電子メール機能に関する電波を送受信するためのアンテナである。
【００４１】
無線処理部１４は、外部からアンテナ部１１を介して受信した無線信号を復調し、復調したデータをデコーダ部１３に出力する。または、無線処理部１４は、デコーダ部１３から受信したデータを無線送信に適した形式に変調し、変調された無線信号を、アンテナ部１１を介して外部に送信する。また、無線処理部１４は、データの変復調処理に加えて、例えばチャンネルコーデック処理、ベースバンド信号処理、ＲＦ（Radio Frequency）処理などを行う。
【００４２】
また、デコーダ部１３は、例えば音声データとして、ユーザＩＦ部３の通話入力部２２から入力された音声データを符号化して、無線処理部１４へと出力する。また、デコーダ部１３は、例えば音声データとして、無線処理部１４から入力されたデータを復号して、ユーザＩＦ部３の通話出力部２３へと出力する。
【００４３】
このデコーダ部１３は、例えば３ＧＰＰ(3rd Generation Partnership Project)で標準化された規格に準拠したコーデックとしても機能する。例えば、この携帯電話１はビデオ電話機能を備えており、デコーダ部１３は３ＧＰＰで標準化された３Ｇ−３２４Ｍのようなビデオ電話の規格に準拠している。３Ｇ−３２４Ｍで利用される映像データのコーデックの例としては、ＩＴＵ−Ｔ(International Telecommunications Union Telecommunication Standardization Sector)  Ｈ．２６３やＭＰＥＧ(Moving Picture Experts Group)−４が挙げられる。また、３Ｇ−３２４Ｍで利用される音声データのコーデックの例としては、ＧＳＭ(Global System for Mobile communication)−ＡＭＲ(Adaptive Multirate)が挙げられる。
【００４４】
ユーザＩＦ部３は、表示部２０、スピーカ２１、通話入力部２２、通話出力部２３、撮影部２４、バイブ部２５および操作部２６を含んでいる。
【００４５】
表示部２０は、デコーダ部１３から入力される映像データに基づいて映像を表示する。
【００４６】
スピーカ２１は、デコーダ部１３から入力される音声データに基づいて音声を出力する。また、スピーカ２１には、図示しないアンプなどの音声出力処理回路も含まれる。ユーザは、デコーダ部１３から入力される音声データのうち、どの音声データをスピーカ２１から出力するかを設定することができる。
【００４７】
通話入力部２２は、携帯電話１を電話機として用いる際に、ユーザの発する音声を音声データに変換し、デコーダ部１３へと出力する。通話入力部２２は、例えば、音波を電気信号に変換するマイクロホンと、Ａ／Ｄ変換器、アンプなどを含んでいる。
【００４８】
通話出力部２３は、携帯電話１を電話機として用いる際に、相手側の携帯電話から送信される音声データを音声に変換する。
【００４９】
撮影部２４は、被写体を撮影して映像データを生成し、デコーダ部１３に出力する。本実施形態の撮影部２４は、被写体からの光を電気信号に変換するＣＣＤ（Charge Coupled Device）を撮像素子として備えている。撮影部２４の構成としてはこれに限るものではなく、例えばＣＭＯＳ（Complementary Metal-oxide Semiconductor）などの撮像素子を用いる構成であってもよい。また、撮影部２４は、撮像素子からの電気信号をＲＧＢ各色のデジタル映像データに変換する映像処理回路を含んでいる。
【００５０】
バイブ部２５は、制御部４からの指示に基づき、携帯電話１を振動させる。ユーザは、バイブ部２５の振動するパターンおよび振動する時間を設定することができる。
【００５１】
操作部２６は、携帯電話１に設けられた入力デバイスである。この入力デバイスをユーザが操作することにより得た操作データを、操作部２６が制御部４へと出力する。入力デバイスとしては、ボタンスイッチやタッチパネルなどが挙げられる。
【００５２】
また、制御部４は、時計部（時計手段）７、ＴＶチューナ制御部１５、および電話機能部１７を含んでいる。なお、制御部４の構成はこれに限るものではなく、各手段の組み合わせは適宜異なっていてもよい。
【００５３】
時計部７は、時間を計測するReal Time Clock(RTC)である。時計部７は、例えば予め設定した所定の時刻となったか否か、または予め設定した所定の時間が経過したか否かを判別する。
【００５４】
ＴＶチューナ制御部１５は、ＴＶアンテナ部１０にて受信し、チューナモジュール１２にて検出する電波の周波数などを設定する。
【００５５】
電話機能部１７は、携帯電話１の電話機能についての機能ブロックである。電話機能部１７は、通話処理部１７ａ、メール処理部１７ｂ、音楽制御部１７ｃ、ＪＡＶＡ（登録商標）処理部１７ｄ、Ｗｅｂ処理部１７ｅ、撮影制御部１７ｆ、映像制御部１７ｇおよびバイブ制御部１７ｈを含んでいる。
【００５６】
通話処理部１７ａは、携帯電話１と他の携帯電話との通話処理、または他の無線送受信機との通信処理を制御する。通話処理部１７ａは、例えば通話入力部２２，通話出力部２３，送受信部２、および必要に応じて表示部２０、スピーカ２１、または撮影部２４などを制御する。
【００５７】
メール処理部１７ｂは、携帯電話１におけるメール処理（作成、送受信など）を行う。音楽制御部１７ｃは、携帯電話１における音楽再生を制御する。ＪＡＶＡ（登録商標）処理部１７ｄは、携帯電話１におけるＪＡＶＡ（登録商標）処理を制御する。Ｗｅｂ処理部１７ｅは、携帯電話１におけるＷｅｂ接続を制御する。撮影制御部１７ｆは、撮影部２４を用いた、携帯電話１における撮影を制御する。映像制御部１７ｇは、携帯電話１における映像再生を制御する。バイブ制御部１７ｈは、バイブ部２５を用いた、携帯電話１における振動動作を制御する。
【００５８】
ここで、本実施の形態に係る携帯電話１の要部の構成について、図１に基づいて説明する。図１は、携帯電話１のＴＶ受信機能に係る部材を示し、メール処理部１７ｂとＴＶチューナ制御部１５との詳細な構成を示すブロック図である。
【００５９】
上記携帯電話１のメール処理部１７ｂは、メール受信部３１、ＴＶコマンド検出・抽出部（検出手段）３２、ＴＶコマンド記憶部３３、比較部（比較手段）３４および判断部（判断手段）３５を備えている。また、ＴＶチューナ制御部（チューナ制御手段）１５は、チューナ制御部４１と予約設定部（予約設定手段）４２とを備えている。
【００６０】
メール受信部３１は、アンテナ部１１を介して受信した電子メール（以下、単にメールと称する）を受信するものである。
【００６１】
ＴＶコマンド検出・抽出部３２は、受信したメール中にＴＶコマンド（コマンド）が含まれているか否かを判断するものである。具体的な判断方法については後述する。そして、ＴＶコマンド検出・抽出部３２は、ＴＶコマンドを検出すると、当該ＴＶコマンドの内容を検出して、この内容をＴＶコマンド記憶部３３に記憶させる。なお、上記ＴＶコマンドについては後述する。
【００６２】
ＴＶコマンド記憶部３３は、ＴＶコマンド検出・抽出部３２から送信されてくるＴＶコマンドに含まれる内容を記憶するものである。
【００６３】
判断部３５は、操作部２６を介して入力されたＴＶ機能の起動命令信号に基づいて、ＴＶコマンド記憶部３３に記憶されている上記ＴＶコマンドの内容を把握するとともに、上記内容に基づいて処理を変えるものである。具体的には、上記ＴＶコマンドに、特定のテレビ番組の放送が始まる開始日時および終了日時が記載されていない場合には、上記内容に記載されているチャンネル情報に基づいてＴＶ機能を起動する。また、上記判断部３５は、上記ＴＶコマンドに、上記開始日時および終了日時が記載されている場合には、比較部３４を動作させて、ＴＶコマンドに記載されているテレビ番組が、現在放送されているか否かを判断するものである。
【００６４】
比較部３４は、ＴＶコマンドに記載されている開始日時および終了日時と、時計部が示す現在の日時とを比較して、ＴＶコマンドに記載されている番組が、（１）既に終わっている、（２）現在放送中、（３）未だ放送されていないのどの状態に当たるのかを判断するものである。そして、その比較結果を判断部３５に送信する。
【００６５】
表示制御部１６は、表示部２０の表示を制御するものである。例えば、メールに含まれているＴＶコマンドと本文とを表示する場合には、ＴＶコマンドが選択可能となるように表示部２０の表示を制御している。
【００６６】
ここで、本実施の形態で使用されるＴＶコマンドの一例について説明する。
【００６７】
上記ＴＶコマンドとは、特定のチャンネルの放送信号を取得するようにＴＶ機能を起動する起動命令を示している。
【００６８】
具体的には、本実施の形態では、ＴＶコマンドを「TVto:2003.12.1.18:00/2003.12.1.19:00/CH1/NHK」と表している。最初の「TVto」が、ＴＶコマンドであることを示している。そして、「：」の次にテレビ番組の開始日時が記載されている。そして、上記開始日時の後の「／」の後には上記テレビ番組の終了日時が記載されている。さらに、上記終了日時の後の「／」の後には、チャンネル情報が記載されている。さらに、上記チャンネル情報の後の「／」の後には、放送局名が記載されている。
【００６９】
つまり、上記ＴＶコマンド「TVto:2003.12.1.18:00/2003.12.1.19:00/CH1/NHK」は、２００３年１２月１日の１８時から２００３年１２月１日の１９時までの１チャンネルのＮＨＫの番組を表している。また、例えば、開始時間と終了時間とを記載しない場合には、「TVto://CH1/NHK」と記載するようになっている。つまり、上記ＴＶコマンドにおいてTVtoの後の「：」から最初の「／」までが開始日時、そして開始日時の後の「／」から次の「／」までが終了日時を示している。
【００７０】
そして、ＴＶコマンド検出・抽出部３２は、上記ルールに基づいて、ＴＶコマンドの内容を解析するようになっている。つまり、上記ＴＶコマンド検出・抽出部３２は、メール中の文字列を検索して、メール中に「TVto:」という文字列が記載されているか否かを検出する。そして、本実施の形態において、上記ＴＶコマンド検出・抽出部３２は、上記「TVto:」という文字列を検出した場合には、これをＴＶコマンドであると判断し、この「TVto:」以下の情報を取得するようになっている。なお、上記ＴＶコマンドについては、一例であり、開始日時、終了日時、チャンネル情報が判別できるように記載されていればよい。
【００７１】
また、上記ＴＶコマンドには、上記情報以外にも、例えば、当該ＴＶコマンドを作成した位置情報等が記録されていてもよい。これは、例えば、関西で作成された上記ＴＶコマンドを関東で受信した場合、上記ＴＶコマンドに含まれるチャンネル情報は、場合によっては対応していない場合がある。つまり、テレビ番組は、地域によって放送されているチャンネルが異なる場合がある。そこで、上記ＴＶコマンドに、当該ＴＶコマンドを作成した地域情報を含めておくことにより、この地域によるチャンネルの不対応を解消することができる。
【００７２】
また、本実施の形態では、上記のように特定の文字列をＴＶコマンドであると判断しているが、例えば、二次元バーコード等のような画像を解析することにより、ＴＶコマンドであるか否かを判断してもよい。
【００７３】
上記構成の携帯電話において、メール中に含まれているＴＶコマンドに基づいて、テレビ機能を起動する際の各部の関係について説明する。
【００７４】
メール受信部３１は、アンテナ部１１を介して外部からメールを受信する。そして、ユーザから受信したメールを閲覧する閲覧命令が操作部２６を介してメール処理部１７ｂに入力されるとＴＶコマンド検出・抽出部３２は、ユーザが閲覧するメール中に、特定のテレビ番組に関する放送信号を取得するコマンド（以下、ＴＶコマンドと称する）が含まれているか否かを判断する。そして、ＴＶコマンドが含まれている場合には、ＴＶコマンド検出・抽出部３２は、表示制御部１６を制御して、表示部２０に、メール本文とＴＶコマンドとを表示する。このとき、ＴＶコマンドは選択可能（クリック可能）な状態で表示されている。また、ＴＶコマンド検出・抽出部３２は、検出したＴＶコマンドをＴＶコマンド記憶部３３に記憶させる。
【００７５】
そして、ユーザによって、操作部２６を介して上記ＴＶコマンドが選択された場合、判断部３５は、ＴＶコマンド記憶部３３から選択されたＴＶコマンドの詳細な情報を取得する。そして、判断部３５は、取得したＴＶコマンドに日時情報が含まれていないと判断した場合には、チューナ制御部４１を動作させて、上記ＴＶコマンドと対応しているＴＶ番組に関する放送信号を取得する。具体的には、チューナ制御部４１は、ＴＶアンテナ部１０１１のチューナを介して放送信号を受信して、表示制御部１６を介して表示部２０に映像を表示するとともに、音声を出力する。
【００７６】
また、上記判断部３５は、取得したＴＶコマンドに日時情報が含まれていると判断した場合には、比較部３４を動作させて、現在の日時と上記ＴＶコマンドの日時情報とを比較する。具体的には、比較部３４は、判断部３５からＴＶコマンドの日時情報を取得した後、時計部の日時と、上記日時情報を比較し、その比較結果を判断部３５に送信する。
【００７７】
そして、判断部３５は比較結果に基づいて処理を切換える。具体的には、判断部３５は、既に上記ＴＶコマンドに記載されているＴＶ番組が終了していると判断した場合には、表示制御部１６を動作させてユーザに既にＴＶ番組が終了していることを報知する。
【００７８】
また、判断部３５は、ＴＶコマンドに記載されているＴＶ番組が現在放送中であると判断すると、直ちに、チューナ制御部４１を動作させて、上記ＴＶ番組を取得して、表示部２０に表示する。また、判断部３５は、ＴＶコマンドに記載されているＴＶ番組が未だ放送されていない場合には、予約設定部４２を動作させて、録画予約および／または起動予約を行う。
【００７９】
このように、本実施の形態にかかる携帯電話は、メール本文中に含まれるＴＶコマンドを操作することにより、上記ＴＶコマンドに記載されているＴＶ番組が現在放送中である場合、直ちに上記ＴＶコマンドの内容に基づいて、ＴＶ機能を起動させるようになっている。つまり、ユーザが、メールの内容を把握した後、メールを終了させて、ＴＶ機能を立ち上げて、選局するといった従来の一連の動作を、単にＴＶコマンドを選択するという動作のみで実現することができる。
【００８０】
ここで、上記ＴＶコマンドを解析して、その結果に応じて処理を変える一連の処理について図３のフローチャートを参照して説明する。
【００８１】
まず、ユーザから受信したメールの閲覧要求が出される（Ｓ１０）と、ＴＶコマンド検出・抽出部３２は、メール受信部３１から閲覧対象のメールを解析して、当該メール中にＴＶコマンドが含まれているか否かを判断する（Ｓ１１）。
【００８２】
そして、上記ステップＳ１１にて、上記メール中にＴＶコマンドが含まれていると判断すると（Ｓ１１、ＹＥＳ）、ＴＶコマンド検出・抽出部３２は、表示制御部１６を動作させて、表示部２０に、メール本文とＴＶコマンドとを表示する（Ｓ１２）。そして、ＴＶコマンド検出・抽出部３２は、ＴＶコマンド中に含まれている情報（例えば、日時情報、チャンネル情報等）をＴＶコマンド記憶部３３に格納する（Ｓ１３）。
【００８３】
次に、判断部３５は、ユーザによってＴＶコマンドが選択されたか否かを判断する（Ｓ１４）。具体的には、ユーザによって操作部２６が操作された後、判断部３５は、上記操作部２６からのＴＶコマンドが選択された旨の信号を受信することで、ユーザがＴＶコマンドを選択したか否かを判断することができる。
【００８４】
上記ステップＳ１４にて、ＴＶコマンドが選択されたと判断すると（Ｓ１４、ＹＥＳ）、判断部３５は、ＴＶコマンド記憶部３３に格納されているＴＶコマンド中に含まれている情報を参照して、当該情報に、日時情報が含まれているか否かを判断する（Ｓ１５）。
【００８５】
そして、上記ステップＳ１５にて、日時情報が含まれていると判断した場合（Ｓ１５、ＹＥＳ）、判断部３５は、比較部３４に当該日時情報を送信する。そして、比較部３４は、時計部を参照して現在の日時と送信されてきた日時情報の終了日時とを比較する（Ｓ１６）。
【００８６】
上記ステップＳ１６にて、現在の日時が、終了日時よりも前、換言すると、未だＴＶコマンドに記録されているＴＶ番組が終了していない（未だ放送されていない状態含む）と判断すると（Ｓ１６、ＹＥＳ）、比較部３４は、時計部を参照して現在の日時と送信されてきた日時情報の開始時間とを比較する（Ｓ１７）。つまり、上記ステップＳ１６およびＳ１７を行うことによって、ＴＶコマンドに記載されているＴＶ番組が、（１）既に終わっている、（２）現在放送中、（３）未だ放送されていないの３つの状態のうち、いずれかであるのかを判断することができる。
【００８７】
そして、上記ステップＳ１７にて、現在の日時が開始時刻よりも後、換言すると、現在ＴＶコマンドに記載されているＴＶ番組が放送中であると判断すると（Ｓ１７、ＹＥＳ）、比較部３４は、判断部３５に、上記結果を送信する。
【００８８】
上記比較部３４から、現在、上記ＴＶ番組が放送中である旨の信号を受信した判断部３５は、表示制御部１６を動作させて、表示部２０にテレビ機能を起動するか否かの表示を行う。そして、判断部３５は、ユーザからＴＶ機能を起動する命令が出されたか否かを判断する（Ｓ１８）。具体的には、ユーザによって操作部２６が操作された後、判断部３５は、上記操作部２６からのＴＶ機能を起動する旨の信号を受信することで、ユーザがＴＶ機能を起動する命令を出したか否かを判断することができる。
【００８９】
そして、上記ステップＳ１８にて、ＴＶ機能を起動する命令が出されたと判断すると（Ｓ１８、ＹＥＳ）、ＴＶ機能起動処理を行う（Ｓ１９）。そして、上記判断部３５は、チューナ制御部４１に、ＴＶコマンドに含まれるチャンネル情報およびＴＶ機能起動命令を送信する。チャンネル情報およびＴＶ機能起動命令を受信したチューナ制御部４１は、ＴＶアンテナ部１０１１のチューナを介して、上記チャンネル情報に基づく放送信号を受信するとともに、表示制御部１６を動作させて、表示部２０に上記放送信号に基づく映像を表示する（Ｓ２０）。また、チューナ制御部４１は、スピーカ２１を動作させて上記放送信号に基づく音声を出力する。つまり、チューナ制御部４１は、上記チャンネル情報に基づいて選局を行っている。そして、処理を終了する。
【００９０】
ところで、上記ステップＳ１１にて、上記メール中にＴＶコマンドが含まれていないと判断すると（Ｓ１１、ＮＯ）、ＴＶコマンド検出・抽出部３２は、表示制御部１６を動作させて、表示部２０にメール本文を表示する（Ｓ２１）。そして、処理を終了する。
【００９１】
また、上記ステップＳ１４にて、ＴＶコマンドが選択されていない場合には（Ｓ１４、ＮＯ）、判断部３５は、ユーザがメールの閲覧終了命令を出したか否かを判断する（Ｓ２２）。具体的には、ユーザによって操作部２６が操作された後、判断部３５は、上記操作部２６からのメールの閲覧の終了命令信号を受信することで、ユーザがメールの閲覧を終了する命令を出したか否かを判断することができる。
【００９２】
そして、上記ステップＳ２２にて、ユーザからメールの閲覧終了命令が出されていないと判断すると（Ｓ２２、ＮＯ）、処理はステップＳ１４に戻る。一方、上記ステップＳ２２にて、ユーザからメールの閲覧終了命令が出されたと判断すると（Ｓ２２、ＹＥＳ）、処理を終了する。
【００９３】
また、上記ステップＳ１６にて、現在の日時が、終了日時よりも後、換言すると、既にＴＶコマンドに記録されているＴＶ番組が終了していると判断すると（Ｓ１６、ＮＯ）、判断部３５は、表示制御部１６を動作させて、表示部２０に、既にＴＶコマンドに記載されているテレビ番組が終了している旨の表示を行う（Ｓ２３）。そして、処理はステップＳ１８に進む。
【００９４】
また、上記ステップＳ１７にて、現在の日時が開始時刻よりも前、換言すると、未だＴＶコマンドに記載されているＴＶ番組が放送されていないと判断すると（Ｓ１７、ＮＯ）、判断部３５は、表示制御部１６を動作させて、表示部２０に、未だＴＶコマンドに記載されているテレビ番組は放送されていない旨の表示を行う（Ｓ２４）。また、上記判断部３５は、表示制御部１６を動作させて、表示部２０に、上記ステップＳ２４の表示と併せて、予約を行うか否かの表示を行う。そして、上記判断部３５は、ユーザが予約命令を出したか否かを判断する（Ｓ２５）。具体的には、ユーザによって操作部２６が操作された後、判断部３５は、上記操作部２６からの予約処理命令信号を受信することで、ユーザが予約命令を出したか否かを判断することができる。
【００９５】
そして、上記ステップＳ２５にて、予約を行うと判断した場合（Ｓ２５、ＹＥＳ）、判断部３５は、予約設定部４２を動作させて予約処理を行う。なお、上記ステップＳ２５にて、予約を行わないと判断した場合には（Ｓ２５、ＮＯ）、処理を終了する。
【００９６】
上記ステップＳ２５にて予約を行う場合、予約設定部４２は、表示制御部１６を動作させて、表示部２０に起動予約を行うか、録画予約を行うかの選択画面を表示する。そして、予約設定部４２は、録画予約を行うか起動予約を行うかを判断する（Ｓ２６）。具体的には、ユーザが操作部２６を操作することにより上記操作部２６から送信されてきる信号によって、録画予約を行うか起動予約を行うかを判断する。
【００９７】
そして、上記ステップＳ２６にて、起動予約を行うと判断した場合は、予約設定部４２は、ＴＶコマンドに記載されている内容に基づいて起動予約を行う（Ｓ２７）。なお、上記起動予約とは、上記ＴＶコマンドに記載されているテレビ番組の開始日時になった時点で、ユーザに対して上記テレビ番組が始まる旨を通知するとともに、ＴＶ機能を起動するか否かをユーザに問い合わせるための予約である。また、予約設定された情報は記憶部５に記憶され、予約設定部４２は、時計部を参照して、起動する時間がきたか否かを判断している。そして、起動予約の処理が終了すると、処理を終了する。
【００９８】
また、上記ステップＳ２６にて、録画予約を行うと判断した場合は、ＴＶコマンドに記載されている内容に基づいて録画予約を行う（Ｓ２８）。なお、上記録画予約とは、上記ＴＶコマンドに記載されているテレビ番組の開始日時になった時点で、チューナ制御部４１を動作させてＴＶコマンドに記載されたテレビ番組を取得して記憶部５に記憶させるための予約である。また、予約設定された情報は記憶部５に記憶され、予約設定部４２は、時計部を参照して、録画する時間がきたか否かを判断している。そして、録画予約の処理が終了すると、処理を終了する。
【００９９】
なお、上記ステップＳ２６では、起動予約と録画予約とのいずれか一方が選択されたかを判断しているが、両方を選択できるようにしてもよい。つまり、起動予約と録画予約との両方の予約処理を行ってもよい。
【０１００】
また、本実施の形態にかかる携帯電話は、無線でテレビ放送の放送信号を取得している。しかしながら、テレビ放送の放送信号は、地域によってチャンネル情報が異なる。例えば、関東では４チャンネルで放送されている番組が、関西では８チャンネルで放送されている等のように、同じ番組でも、チャンネル情報が異なる場合がある。そして、特に、携帯電話は、携帯性に優れているため、様々な地域でテレビを見ることができる。この場合に、例えば、ＴＶコマンド中に記載された番組のチャンネル情報と、ユーザが上記番組を見ようとしている地域において上記番組が放送されているチャンネルとが異なっている場合には、所望の番組を見ることが出来ない場合がある。
【０１０１】
そこで、本実施の形態に係る携帯電話では、ユーザによってＴＶコマンドが選択されて、ＴＶ機能が起動され、チャンネルの選局を行う際には、以下の処理をおこなってもよい。なお、以下の説明では、上記ＴＶコマンドに、当該ＴＶコマンドが作成された地域を示す地域情報が含まれているものとする。
【０１０２】
まず、地域情報が含まれたＴＶコマンドを含むメールを受信し、当該ＴＶコマンドが選択されると、判断部３５は、ＴＶコマンドに記載されている地域情報と、上記携帯電話がある位置情報とを比較する。この上記携帯電話がある位置情報は、例えば、ＴＶ受信部６６を介して受信した電波を解析することにより得ることができる。また、例えば、上記携帯電話にＧＰＳ等の位置情報を検知するものが設けられている場合には、上記ＧＰＳに基づいて、現在位置を取得してもよい。そして、判断部３５は、上記ＴＶコマンドに記載されている地域情報と該当する位置に上記携帯電話があると判断すると、チューナ制御部４１を動作させて、ＴＶコマンドに記載されているチャンネル情報に基づくテレビ番組を取得する。一方、上記ＴＶコマンドに記載されている地域情報と該当する位置に上記携帯電話がない、つまり、ＴＶコマンドに記載されているチャンネル情報を参照して選局を行った場合には、所望のテレビ番組が見れないと判断すると、判断部３５は、記憶部５５に記憶されているチャンネルテーブルを参照して、上記ＴＶコマンドに記載されている放送局情報と同じ放送局を抽出して、選局を行う。これにより、所望の番組を見ることができる。
【０１０３】
また、チャンネルについての情報を得るのは上述の構成に限るものではない。例えば、携帯電話１は、電話機として機能するとき、最寄りの基地局とデータの送受信をすることによって、相手方との通話を行う。
【０１０４】
ここで、この携帯電話１は、基地局の位置から、自身が現在いる位置を判別することができる。より詳細には、例えば基地局側から基地局についての位置情報が携帯電話１へと送信される。この位置情報を用いて、携帯電話１は、自身が現在いる位置を認識した上で、その位置におけるチャンネル情報を例えばＷｅｂにより取得できる。また、基地局から直接チャンネル情報が提供される構成であってもよい。または、チャンネルについての情報を得るためにＷｅｂアクセスを開始すると、一旦基地局からの位置情報を取得した上で、その位置情報に応じたＷｅｂサイトへとＷｅｂ処理部がアクセスして、その領域におけるチャンネル情報をダウンロードする構成であってもよい。
【０１０５】
ここで、本実施の形態にかかる携帯電話において、表示部２０に表示されているＴＶコマンドを、ユーザが操作した場合における表示部２０の表示画面の遷移の一例について、図４を参照して説明する。なお、上記表示画面の遷移は、メール処理部１７ｂによる処理に基づいて行われる。
【０１０６】
まず、ユーザは、受信したメールを閲覧するために、図示しない携帯電話に設けられているメールボタンを押圧すると、メール受信選択画面（Ｄ１）に遷移する。そこで、ユーザは、メール受信を選択すると、受信したメールの一覧が表示される（Ｄ２）。そして、メール一覧画面（Ｄ２）において、ユーザが任意のメール送信者を選択すると、表示画面にメールの送信者に関する情報とメールの本文とＴＶコマンドとが表示される（Ｄ３）。なお、この表示画面において、ＴＶコマンドが表示されている場合には、当該ＴＶコマンドを選択することができるように表示されている。具体的には、上記ＴＶコマンドをクリックすることができるように表示されている。
【０１０７】
そして、ユーザがこのＴＶコマンドを選択した場合には、そのＴＶコマンドに記載されている内容に基づいてＴＶ機能を立ち上げる選択肢と、このＴＶコマンドをコピーする選択肢とが表示される（Ｄ４）。
【０１０８】
その後、ユーザがＴＶ機能を立ち上げる選択肢を選択した場合には、当該ＴＶコマンドに記載されている日時情報に応じた表示画面に遷移する。
【０１０９】
具体的には、上記ＴＶコマンドに記載されている番組が、現在放送中である場合には、ＴＶ機能を起動するか否かを問い掛ける表示画面に遷移する（Ｄ５）。そして、ユーザがＴＶ機能を起動する選択を行った場合には、ＴＶの放送画面に遷移する（Ｄ６）。また、ＴＶ機能を起動しない選択を行った場合には表示画面はＤ４に戻る。
【０１１０】
また、上記表示画面Ｄ４にて、ＴＶコマンドが選択された場合であって、上記ＴＶコマンドに記載されている番組が、既に終了している場合には、既に番組が終了している旨と、それでもＴＶ機能を起動するか否かを問い掛ける表示画面に遷移する（Ｄ７）。そして、ユーザがＴＶ機能を起動する選択を行った場合には、ＴＶの放送画面に遷移する（Ｄ８）。また、ＴＶ機能を起動しない選択を行った場合には表示画面はＤ４に戻る。
【０１１１】
また、上記表示画面Ｄ４にて、ＴＶコマンドが選択された場合であって、上記ＴＶコマンドに記載されている番組が、未だ放送されていない場合には、起動／録画予約画面に遷移する。
【０１１２】
なお、上記の画面遷移において、図示しない、実行キー（Ｆキー）を押圧すると、次の画面に遷移し、クリアキーを押圧すると１つ前の表示画面に遷移するようになっている。
【０１１３】
このように、本実施の形態にかかる携帯電話では、ＴＶコマンドを選択すると、当該ＴＶコマンドに記載されている内容によって、処理を変えるようになっている。具体的には、ＴＶコマンドに記載されたテレビ番組が（１）既に放送終了している、（２）現在放送中である、（３）未だ放送されていないの３つの状態に応じて、処理を変更するようになっている。ＴＶ番組は、時間によって状態（上記３つの状態）が変化する。従って、現在の時間とＴＶコマンドに記載されたテレビ番組の開始時間および終了時間とを比較することで、適切な処理を行うことができる。
【０１１４】
ここで、携帯電話１の表示部２０におけるＴＶコマンドが選択された場合の表示状態の例について、図５（ａ）〜（ｅ）に基づいて説明をする。
【０１１５】
図３（ａ）には、ＴＶコマンドが表示されているメールの表示を残した状態でＴＶ視聴をおこなうための２画面構成の一例を示す。最上部の領域４５ａは、電波受信状態やバッテリー（電源）の残量などを示すピクチャーアイコンを表示するＰＩＣＴ領域である。領域４５ａを除いた領域が領域４５ｂと領域４５ｃとの２つの領域に分割されている。領域４５ｂはＴＶ視聴のためのＴＶ画面領域であり、チャンネル情報を表示するチャンネル領域４６ａと受信した映像を表示する映像表示領域４６ｂとを含んでいる。チャンネル領域４６ａには、例えば現在視聴可能なチャンネルをリスト表示して、現在視聴しているチャンネルを強調表示してもよい。領域４５ｃはメールの表示領域である。つまり、上記図３（ａ）は、メール本文に記載されたＴＶコマンドを選択した際に、当該メール本文を残したままＴＶ視聴を行う表示画面例を示している。
【０１１６】
また、図３（ａ）に示す状態において、チャンネル情報を表示するチャンネル領域４６ａを省いて、図３（ｂ）に示すような表示部２０の表示画面としてもよい。図３（ｂ）には、ＰＩＣＴ領域４５ａの下に、画面分割してＴＶ画面領域４５ｄとメールの表示領域４５ｃとを配置した構成を示す。ＴＶ画面領域４５ｄのように、図３（ａ）に示すＴＶ画面領域４５ｂからチャンネル情報を表示するチャンネル領域４６ａを省いてもよい。
【０１１７】
図３（ｃ）は、メール本文中に記載されているＴＶコマンドを選択すると、ＰＩＣＴ領域以外の全ての領域に上記ＴＶコマンドに記載されたチャンネル情報に基づいて選局されたテレビ番組を表示する表示画面例である。
【０１１８】
また、図３（ｄ）に示すように表示部２０がＴＶ画面領域のみを表示するようにしてもよい。この場合、ＴＶ画面領域には、チャンネル領域４６ａと映像表示領域４６ｂとが含まれる。
【０１１９】
なお、上記の説明では、ＴＶ受信部６を介して、無線で放送信号を受信する構成について説明している。しかしながら、ＴＶ放送信号を取得する構成としては、上記に限定されるものではなく、例えば、ケーブル等の有線により取得してもよい。
【０１２０】
また、上記実施形態の携帯電話１の制御部４の行う各処理ステップは、送受信部２、ユーザＩＦ部３および記憶部５を備えるコンピュータ、または各部が装着されたコンピュータにおいて、図示しないＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読取り、当該プログラムを実行するだけで、本実施形態の携帯電話１の各種機能および各種処理を実現することができる。また、上記プログラムをリムーバブルな記録媒体に記録することにより、上記の手段を有するコンピュータ上で上記の各種機能および各種処理を実現することができる。この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１２１】
また、上述の実施の形態においては、情報処理装置の一例としての携帯電話１について説明したが、本発明はこれに限るものではない。ＴＶ電波を受信することができる情報処理装置であればよく、例えばＰＤＡ（Personal Digital Assistant）、ＰＨＳ（Personal Handy-phone System）等の携帯端末や、インターネットテレビおよびパソコン等であってもよい。中でも、メール機能を有しており、かつ、ＴＶ電波を受信することができる携帯電話、ＰＤＡ、ＰＨＳ等が好適に適用できる。
【０１２２】
以上のように、本実施の形態にかかる携帯電話１は、以上のように、放送信号を取得するＴＶ受信部６と、データ中に、特定のチャンネルの放送信号を取得するための文字列および／または画像からなるＴＶコマンドが含まれているか否かを検出し、ユーザによって上記ＴＶコマンドを実行する実行命令が出されたか否かを判断し、上記ＴＶコマンドに基づいて上記特定のチャンネルの放送信号を取得させるように上記ＴＶ受信部６を制御する制御部４を備えることを特徴としている。
【０１２３】
また、本実施の形態にかかる携帯電話１は、上記の構成に加えて、上記制御部４は、データ中に上記ＴＶコマンドが含まれているか否かを検出するＴＶコマンド検出・抽出部３２と、ユーザによって上記ＴＶコマンドの実行命令が出されたか否かを判断する判断部３５と、上記ＴＶコマンドに基づいて上記特定のチャンネルの放送信号を取得させるように上記ＴＶ受信部６を制御するチューナ制御部４１とを備える構成であることがより好ましい。
【０１２４】
上記の構成によれば、ユーザは、上記ＴＶコマンドを実行する実行命令を出すだけで、ＴＶ受信部６を介して特定のチャンネルの放送信号を取得することができる。具体的には、例えば、ユーザは、受信した電子メールの本文に含まれているＴＶコマンドをクリックすることにより、当該ＴＶコマンドと関連づけられている特定のチャンネルの放送信号を受信することができる。これにより、例えば、ユーザが電話や単なるメール等にて通知された情報に基づいて放送信号を取得するためのアプリケーションを起動させた後で特定のチャンネルの放送信号を取得する構成に比べて、操作を一層簡単にすることができる。また、上記ＴＶコマンドは特定のチャンネルと関連付けられているので、誤ったチャンネルの放送信号を取得することを防止することができる。
【０１２５】
また、本実施の形態にかかる携帯電話１は、上記の構成に加えて、上記ＴＶコマンドには、上記特定のチャンネルで放送される特定の番組の開始日時および終了日時を含む日時情報が含まれており、現在の日時を示す時計部７と、現在の日時と上記日時情報とを比較する比較部３４とを有し、上記チューナ制御部４１は、上記比較部３４の比較結果に基づいて、ＴＶ受信部６を動作させるか否かを制御するものである構成がより好ましい。
【０１２６】
放送信号は、時事刻々と変化しており、例えば、ユーザが所望の番組を取得しようとした場合であっても、上記所望の番組は終了している場合や、まだ、放送されていない場合等がある。上記の構成によれば、上記ＴＶコマンドには、番組の開始日時および終了時刻が含まれており、これらの日時情報と、現在の日時とを比較するようになっている。これにより、上記ＴＶコマンドと関連付けられている番組が、現在、どの状態になっているのかを判断することができる。これにより、上記特定の番組の状態（例えば、既に終了している、放送している、未だ放送されていない）に応じた処理を行うことが可能になる。例えば、上記特定の番組が既に終わっている、または、未だ放送されていない場合には、ＴＶ受信部６を動作させても上記番組を取得することができないので、ＴＶ受信部６を動作させないように設定することにより、無駄な処理を行うことを防止できる。
【０１２７】
また、本実施の形態にかかる携帯電話１は、上記の構成に加えて、上記チューナ制御部４１は、上記比較結果により、現在の日時が上記ＴＶコマンドに含まれている番組の開始時間と終了時間との間であると判断した場合には、ＴＶ受信部６を動作させるものである構成がより好ましい。
【０１２８】
上記の構成によれば、所望の番組が現在放送中であるか否かを判断できるで、放送中であると判断した場合には、直ちに上記番組の放送信号を取得することができる。
【０１２９】
また、本実施の形態にかかる携帯電話１は、上記の構成に加えて、情報を報知する表示部２０および／またはスピーカ２１を備え、上記チューナ制御部４１は、上記比較結果により、現在の日時が上記ＴＶコマンドに含まれている番組の終了時間よりも後であると判断した場合には、表示部２０および／またはスピーカ２１を動作させて、上記特定の番組が既に終了していることを報知する構成であることがより好ましい。
【０１３０】
上記の構成によれば、所望の番組が既に終了しているか否かを判断できるので、例えば、既に終了していると判断した場合には、表示部２０および／またはスピーカ２１によりユーザに所望の番組が既に終了していることを報知することができる。
【０１３１】
また、本実施の形態にかかる携帯電話１は、上記の構成に加えて、未だ放送されていない放送番組を録画する録画予約または放送時に番組を取得する放送予約を行う予約設定部４２を備え、上記チューナ制御部４１は、上記比較結果により、現在の日時が上記ＴＶコマンドに含まれている番組の開始時間よりも前であると判断した場合には、予約設定部４２を動作させて番組の録画予約または放送予約を行う構成であることがより好ましい。
【０１３２】
上記の構成によれば、所望の番組が未だ放送されていないか否かを判断できるので、未だ放送されていないと判断した場合には、上記番組の録画予約または放送予約を行うことができる。
【０１３３】
また、本実施の形態にかかる携帯電話１は、上記データは、外部から送信された電子メールの本文である構成がより好ましい。
【０１３４】
上記の構成によれば、電子メール本文に上記ＴＶコマンドが含まれている。つまり、上記ＴＶコマンドを電子メールの本文と併せて送ることにより、他の情報とともにＴＶコマンドを送ることができる。具体的には、例えば、番組の情報を紹介した文章と上記ＴＶコマンドとの両方を併記することができる。これにより、より一層利便性を向上させることができる。
【０１３５】
また、本実施の形態にかかる携帯電話１の制御方法は、ＴＶ受信部６を介して特定のチャンネルの放送信号を取得する取得工程と、データ中に、特定のチャンネルの放送信号を取得するための文字列および／または画像からなるＴＶコマンドが含まれているか否かを検出し、ユーザによって上記ＴＶコマンドを実行する実行命令が出されたか否かを判断し、上記ＴＶコマンドに基づいて上記特定のチャンネルの放送信号を取得させるように上記ＴＶ受信部６を制御する制御工程とを含むことを特徴としている。
【０１３６】
上記の構成によれば、ユーザは、上記ＴＶコマンドを実行する実行命令を出すだけで、ＴＶ受信部６を介して特定のチャンネルの放送信号を取得することができる。
【０１３７】
本発明に係るプログラムは、以上のように、コンピュータを、上記の携帯電話１の制御部４として機能させるものであることを特徴としている。
【０１３８】
このプログラムを、上述の制御部４およびＴＶ受信部６を備えたコンピュータにおいて実行すれば、上述の携帯電話１を実現できる。
【０１３９】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態、および実施の形態にそれぞれ開示された技術的手段を適宜組み合わせて得られる実施の形態についても本発明の技術的範囲に含まれる。
【産業上の利用可能性】
【０１４０】
本発明に係る情報処理装置は、テレビ機能を有する携帯端末に好適に適用できる。
【図面の簡単な説明】
【０１４１】
【図１】本発明の実施の形態にかかる携帯電話の要部の構成を示すブロック図である。
【図２】上記携帯電話の概略の構成を示すブロック図である。
【図３】ＴＶコマンドを解析して、その結果に応じて処理を変える一連の処理を説明するフローチャートである。
【図４】表示部に表示されているＴＶコマンドが操作された場合における表示部の表示画面の遷移を説明する状態遷移図である。
【図５】（ａ）は上記携帯電話の表示画面の一例を示す平面図であり、（ｂ）は上記携帯電話の表示画面の他の一例を示す平面図であり、（ｃ）は上記携帯電話の表示画面のさらに他の一例を示す平面図であり、（ｄ）は上記携帯電話の表示画面のさらに他の一例を示す平面図である。
【符号の説明】
【０１４２】
１    携帯電話（情報処理装置）
２    送受信部
３    ユーザＩＦ部３
４    制御部（制御手段）
５    記憶部
６    ＴＶ受信部（チューナ）
７    時計部（時計手段）
１１  アンテナ部
１５  ＴＶチューナ制御部（チューナ制御手段）
１７ｂ  メール処理部
２０  表示部
２１  スピーカ
２６  操作部
３１  メール受信部
３２  ＴＶコマンド・抽出部（検出手段）
３３  ＴＶコマンド記憶部
３４  比較部（比較手段）
３５  判断部（判断手段）
４１  チューナ制御部
４２  予約設定部（予約設定手段）
【図１】
2005198114.tif 000003
【図２】
2005198114.tif 000004
【図３】
2005198114.tif 000005
【図４】
2005198114.tif 000006
【図５】
2005198114.tif 000007